(57)【要約】      （修正有）【課題】携帯型電子情報表示手段を使用して商品を販売する方法を提供する。【解決手段】あらかじめ商品の情報を求める会員を潜在消費者として組織化し、この会員に対して配布された携帯型電子情報表示手段を用い、この携帯型電子情報表示手段をＰＣあるいはローカルエリアネットワークなどの情報通信手段に接続し、情報を要求する。一例では通信回線と接続されたＰＣにＵＳＢ接続などで接続された携帯型電子情報表示手段が所蔵プログラムで自動的に情報を要求する。これにより、あらかじめ用意された所定の商品に関する情報が携帯型電子情報表示手段に配信される。このあと会員は携帯型電子情報表示手段の簡単な操作により、その表示手段で得た商品の情報をもとに、その商品の更なる情報を得るため小売店や専門店を訪問する。【選択図】図１
2007042044.tif 000002
【特許請求の範囲】
【請求項１】
顧客となる可能性のある潜在消費者を会員として登録したデータベースを作成するステップと、
電子的に画像と音声とを含む商品に関する情報を表示可能な携帯型電子情報表示手段を前記会員に配布するのに必要な情報を出力するステップと、
通信回線を通じて前記携帯型電子情報表示手段が表示可能な商品に関する情報を配信可能な状態にするステップと、
前記会員が前記携帯型電子情報表示手段を通信回線に接続し商品に関する情報を要求したときに前記携帯型電子情報表示手段が表示可能な商品に関する情報を配信するステップと、
所定の商品に関する情報の配信を希望する販売者を登録したデータベースを作成するステップと、
を電子計算機を用いて実行し、
前記会員に配布するのに必要な情報により前記携帯型電子情報表示手段を前記会員に配布するとともに、
商品に関する情報の配信に関して販売者より情報料を徴収することを特徴とする携帯型電子情報表示手段を用いた商品販売方法。
【発明の詳細な説明】
【技術分野】
【０００１】本発明は、携帯型電子情報表示手段を用いて洋服等の商品を紹介し販売店等にて一般消費者にこれら商品を販売する商品販売方法に係り、特に、印刷されたファッション誌やカタログに代えて携帯型電子情報表示手段を使用して商品を販売する方法に関する。
【背景技術】
【０００２】  商品等を一般消費者に販売する形態は、大別すると二種に分けられる。一つは雑誌等の広告等によって商品を消費者に紹介し、消費者がその商品の販売を行う小売店や専門店に出向いて気に入った商品を購入するいわゆる来店販売方法であり、もう一つは、印刷物によるカタログを一般消費者となり得る潜在顧客に送付し、消費者はこれらのカタログから好みの商品を選定し、通信手段によって発注を行い、商品を購入するいわゆるカタログ販売方法である。
カタログ販売方法は店舗を持たないので販売に必要とする経費の面では有利であるが、膨大なカタログ印刷物を潜在顧客に送付することが要求され、季節や流行にあわせてこのようなカタログの更新が必要であり、そのたびに膨大な印刷物が印刷され送付され頒布されている。
このようにカタログによる販売方法は、膨大な印刷費用や送付費用が必要となり比較的資金力のない中小企業にとっては採用できない販売方法であった。【０００３】  一方、従来の来店販売方法は、自己の調達可能な資金に合わせて広告などを実施し商品を販売することが出来るので、従来から広く採用されている販売方法である。
また最近では、インターネットを介したワールドワイドウエブを使い自己の商品の広告が可能となり、中小企業に有利な販売方法として広く活用されている。
さらに複数の商人と消費者をインターネットを介してワールドワイドウエブを使って参加させ、商品の販売を行う電子商取引方法も多数出現している。
【特許文献】特表２００３−５２４８１５号公報
【発明の開示】
【発明が解決しようとする課題】
【０００４】  背景技術で紹介した販売方法において、雑誌等の広告や印刷物であるカタログを使用する場合、これらの印刷物は、膨大な紙と輸送資源を消費し、これらによって自己の商品を広く周知させるためには１０万部単位の印刷物の配布が必要とされ、雑誌社を通じて行う広告費などを考慮すると年間２０００万円以上の投資を必要とするものとなっている。
一方、印刷物を使わないでインターネットを介し、ワールドワイドウエブを使った自己の商品の紹介による販売方法や、さらに複数の商人と消費者をインターネットを介したワールドワイドウエブを使って参加させ、商品の販売を行う電子商取引方法も多数出現しているが、これによれば本に似たイメージの紹介ページの表示がパーソナルコンピュータ（以下「ＰＣ」と記す。）で可能であるが、希望する画面を検索して必要な画面を見つけたり、定期的にその画面にアクセスすることは、これらを趣味とする一部の消費者を除いては、時として非常に受け入れがたいことであった。
また、さらに衣服においては微妙な色合いや、材料の持つ風合いなど電子商品に関する情報のみでは、その商品の購買をためらう消費者も已然多数存在し、特に高級品についてはその傾向が顕著である。
いわゆるカタログや雑誌の電子版であるワールドワイドウエブのみによる販売方法の大きな欠点は、衣服や食料品などにおいて顕著なように、微妙な色合いや、商品の持つ風合いなどが電子商品ん関する情報のみでは不十分で、高級品等についてはその商品の購買に結びつかない点である。
【課題を解決するための手段】
【０００５】このような課題を解決するための本発明の技術的手段は、
顧客となる可能性のある潜在消費者を会員として登録したデータベースを作成するステップと、
電子的に画像と音声とを含む商品に関する情報を表示可能な携帯型電子情報表示手段を前記会員に配布するのに必要な情報を出力するステップと、
通信回線を通じて前記携帯型電子情報表示手段が表示可能な商品に関する情報を配信可能な状態にするステップと、
前記会員が前記携帯型電子情報表示手段を通信回線に接続し商品に関する情報を要求したときに前記携帯型電子情報表示手段が表示可能な商品に関する情報を配信するステップと、
所定の商品に関する情報の配信を希望する販売者を登録したデータベースを作成するステップと、
を電子計算機を用いて実行し、
前記会員に配布するのに必要な情報により前記携帯型電子情報表示手段を前記会員に配布するとともに、
商品に関する情報の配信に関して販売者より情報料を徴収することを特徴とする携帯型電子情報表示手段を用いた商品販売方法である。【０００６】このような課題を解決するための本発明の技術的手段は、さらに前記商品に関する情報には商品に関する販売者の情報が含まれていることを特徴とする携帯型電子情報表示手段を用いた商品販売方法である。
【作用】
【０００７】このような構成からなる携帯型電子情報表示手段を用いた商品販売方法によれば、あらかじめ商品の情報を求める会員を潜在消費者として組織化し、この会員に対して配布された携帯型電子情報表示手段を用い、この携帯型電子情報表示手段をＰＣあるいはローカルエリアネットワークなどの情報通信手段に接続し、情報を要求すると、（一例では通信回線と接続されたＰＣにＵＳＢ（ユニバーサルシリアルバス）接続などで接続された携帯型電子情報表示手段が所蔵プログラムで自動的に情報を要求する）あらかじめ用意された所定の商品に関する情報が前記携帯型電子情報表示手段に配信される。この方法によれば、ＰＣを用いキー入力などによる煩雑な検索をすることなく、会員は携帯型電子情報表示手段によって必要な情報を入手すことができる。このあと会員は携帯型電子情報表示手段の簡単な操作により、その表示手段で得た商品の情報をもとに、その商品の更なる情報を得るため小売店や専門店を訪問する。訪問によって色彩や風合い、大きさ形、着用、使用方法などの更なる情報を得た会員はそこで購買や店員との情報交換を行う。
【０００８】これによって会員は確実で容易な情報が入手可能となるとともに、一方で商品提供側は印刷によらない比較的安価な情報提供料によって情報の提供が可能となり、その商品の更なる情報を得るため小売店や専門店を顧客が訪問することで、従来販売が困難であった高級品などの紹介と販売を低いコストで行うことが可能となる。
携帯型電子情報表示手段は、内容の変更が印刷物に比して安価に可能で、印刷物の配布や広告料に比して安価な商品の紹介や周知が可能となる。
【実施例】
【０００９】以下、添付図面に基づいて本発明の実施例に係る携帯型電子情報表示手段を用いた商品販売方法について説明する。
本発明の実施例に係る携帯型電子情報表示手段を用いた商品販売方法は、図１に示すようなステップにより行われるものであり、電子計算機としてＰＣが使用される。
以下各手順について説明する。【００１０】ステップ１では、顧客となる可能性のある潜在消費者を会員として登録したデータベースを作成する。このステップにおいては、各種イベントや情報誌により募集し興味を持った潜在消費者を会員として登録し、住所、氏名などのデータがデータベースに登録される。
次にステップ２では、電子的に画像と音声とを含む商品に関する情報を表示可能な携帯型電子情報表示手段（図２、図３などに示すもの）を前記会員にデータベースにもとづき配布するのに必要な情報を出力する。
この前記会員に配布するのに必要な情報をもとに前記携帯型電子情報表示手段が会員に配布される。このような前記携帯型電子情報表示手段は数千円から数万円の製造・流通コストが必要であるが、印刷されたカタログを年間数回配布するコストとの比較においては多大の負担を配布者に課するものではない。【００１１】  次にステップ３では、通信回線を通じて前記携帯型電子情報表示手段が表示可能な商品に関する情報を一般にはワールドワイドウエブ等の形態で配信可能な状態にする。これらの情報は一般の雑誌を編集する作業と同等のものであり、特に最近では雑誌印刷を対象とするものも電子編集が行われおり、同等の技術により行うことが可能である。ここでは商品の紹介や広告に加え流行の動向や商品の紹介、販売者の販売店等の紹介などが行われる。【００１２】次にステップ４では、前記会員が前記携帯型電子情報表示手段を通信回線に接続し商品に関する情報を要求したときに前記携帯型電子情報表示手段が表示可能な商品に関する情報を配信する。
消費者はＰＣのＵＳＢを介して、データをダウンロードし、適宜情報の更新をおこなう。また、掲載販売店にダウンロード専用端末を配置し、消費者の来店動機および購買動機を刺激する。
表示される内容は、電子情報によって形成された文字・静止画像だけでなく、それに伴って表示される動画・音声も含む。これら表示のためのコンテンツとしては、掲載販売店の商品、店舗でのイベント情報、さらに、雑誌としての編集ページ（たとえば全掲載ブランドのアイテムを絞った特集など）、有名人（モデル、芸能人など）のインタビュー、ファッションショーの模様など、多岐にわたる。【００１３】  なお、前記携帯型電子情報表示手段と通信回線の関係は、前記携帯型電子情報表示手段をＵＳＢを介してＰＣに接続する方法や、前記携帯型電子情報表示手段を直接ローカルエリア回線へ接続する方法などが採用可能である。前記携帯型電子情報表示手段に内臓した計算機とプログラムによって通信回線を通じて、ホストサーバである電子計算機に前記携帯型電子情報表示手段の情報要求が伝わると、ホストサーバである電子計算機は前記携帯型電子情報表示手段に商品に関する情報が取り込まれ配信される。会員にはあらかじめ特定の判別信号が付与されており会員のみが情報を取得可能な仕組みがホストサーバである電子計算機または前記携帯型電子情報表示手段に、あるいはその両者にプログラムされている。【００１４】  一方でステップ５では、自己の商品に関する情報の配信を希望する販売者をあらかじめ登録しデータベースが作成される。登録した販売者は希望する発信情報を作成しホストサーバである電子計算機に自己が発信する情報を発信可能な状態で入力（ホストサーバへのアップロードなど）し準備しておく。アップロードなどで登録された情報は、ステップ３で、通信回線を通じて前記携帯型電子情報表示手段へ配信可能な状態にされる。
以上の各ステップをホストサーバである電子計算機等を用いて実行する。【００１５】商品に関する情報の配信に関して販売者より情報料および広告料を徴収することによって事業者は、前記携帯型電子情報表示手段の製造と配布および通信回線の維持に必要なコストを回収するとともに利益を得る。【００１６】なお、本発明の実施例に係る携帯型電子情報表示手段について図２、図３により以下に説明する。
携帯型電子情報表示手段１は、二つ折りとなっており、閉じた状態を示すが、付属のバッテリー２で駆動され携帯が可能となっている。閉じた状態で、前面には意匠的にファッション的魅力のあるカバー（図示せず）が取り付け可能なようにカバー取り付け部３が配置されている。
側面には、ＵＳＢ端子４が設けられ、ＰＣ（図示せず）との接続が可能となっている。また、必要な情報を保存可能なようにメモリーカード用の端子５が設けられている。６は電源のオンオフスイッチである。また、必要により音声出力手段として内臓スピーカやイヤーホーン用の出力端子（イヤーホーンジャック）などを設ける（図示せず）ことも可能である。【００１７】図４は、本発明の別の実施例を示すもので、表示部７が露出した状態を示す。本実施例では、７インチの液晶でディスプレイ装置が前面に配置され、横には、表示情報画面の操作に必要な、メニューキー８、拡大・縮小キー９、ページ送りキー１０及び決定キー１１が設けられており、表示画面に対する操作が可能となっている。１２はカバー、１３はタッチパネル用あるいは筆記用のペンである。【００１８】以上に示す携帯型電子情報表示手段が会員に配布され、会員は前記携帯型電子情報表示手段を用いて、ＰＣのＵＳＢを介して、データをダウンロードし、適宜情報の更新をおこなう。
表示部７に表示される内容は、電子情報によって形成された文字・静止画像だけでなく、それに伴って表示される動画と図示しないが内蔵されたスピーカによって音声情報も聴取可能となっている。表示のためのコンテンツとしては、掲載販売店の商品、店舗でのイベント情報、さらに、雑誌としての編集ページ（たとえば全掲載ブランドのアイテムを絞った特集など）、有名人（モデル、芸能人など）のインタビュー、ファッションショーの模様など、多岐にわたる。【００１９】以上のとおり、携帯型電子情報表示手段を用いた商品販売方法によれば、膨大な印刷物や、年間数千万にわたる宣伝広告費を大手雑誌社に支払うことなく広告宣伝や、自己の商品の紹介が可能で、情報の更新も安易に可能であり比較的資本力のない企業においても採用可能な販売方法が実現可能となる。
【図面の簡単な説明】
【００２０】
【図１】本発明の実施例に係る携帯型電子情報表示手段を用いた商品販売方法を示す手順構成図
【図２】本発明の実施例に係る携帯型電子情報表示手段背面外観の説明図
【図３】本発明の実施例に係る携帯型電子情報表示手段の側面図
【図４】本発明の別の実施例に係る携帯型電子情報表示手段を開いた内側の説明図
【図１】
2007042044.tif 000003
【図２】
2007042044.tif 000004
【図３】
2007042044.tif 000005
【図４】
2007042044.tif 000006